(57)【特許請求の範囲】
【請求項１】
位相同期多重を行うディジタルネットワークにおける網同期クロックの切替方式において，
上位局からの第１と第２の系統のクロック信号を受信し，それぞれ２系のクロック信号に分配する２系統のクロック受信分配装置と，
前記２系統のクロック受信分配装置からの２つのクロック信号をそれぞれ入力して，それぞれ対応する入力クロック信号に位相同期した現用系及び予備系のクロック信号を発生する２系統の網同期装置と，
それぞれ自系統のクロック受信分配装置からの２つのクロック信号と，自系統の網同期装置から発生する現用系，予備系のクロック信号とを入力して監視を行い系統障害情報を出力する２系統の網同期装置監視装置と，
前記２系統の各網同期装置から出力される現用系の２つのクロック信号が入力されるスイッチと，予備系の２つのクロック信号が入力されるスイッチとを備え，
前記２系統の網同期装置監視装置からの系統障害情報を受けて前記各スイッチを切替えて，現用系と予備系の各クロック信号を発生するクロック切替装置とで構成されることを特徴とする網同期クロックの切替方式。
【請求項２】
請求項１において，
前記２系統の網同期装置は，それぞれ自系統のクロック受信分配装置の現用系のクロック信号と，他系統のクロック受信分配装置の予備系のクロック信号とを入力して，それぞれ対応する入力クロック信号に位相同期した現用系及び予備系のクロック信号を発生することを特徴とする網同期クロックの切替方式。
【請求項３】
請求項１において，
前記２系統の網同期装置は，それぞれ自系統のクロック受信分配装置の現用系のクロック信号と，他系統のクロック受信分配装置の予備系のクロック信号とを入力して，それぞれ対応する入力クロック信号に位相同期した現用系及び予備系のクロック信号を発生し，
前記２系統の網同期装置監視装置は，それぞれ自系統のクロック受信分配装置の現用系のクロック信号と，他系統のクロック受信分配装置の予備系のクロック信号と，自系統の網同期装置から発生する現用系，予備系のクロック信号とを入力して監視を行い，系統障害情報を出力することを特徴とする網同期クロックの切替方式。
【請求項４】
請求項１乃至３のいずれかにおいて，
前記網同期装置監視装置は，クロック受信分配装置から入力する２つのクロック信号から１つを選択する入力信号の切替回路と，網同期装置から出力する２つのクロック信号から１つを選択する出力信号の切替回路と，前記各切替回路から出力するクロック信号の周波数を比較する周波数比較回路とを備え，
前記各切替回路はそれぞれ２系の各入力信号の断検出を行う断検出回路の出力により正常側の信号を選択するよう切替制御され，
前記各信号に対応する各断検出回路の出力及び周波数比較回路の出力に基づいて系統障害の状態を検出することを特徴とする網同期クロックの切替方式。
【発明の詳細な説明】
【０００１】
【産業上の利用分野】
本発明はディジタル通信網における網同期クロックの切替方式に関する。
位相同期多重を行うディジタル通信網では，各局に一台の網同期装置を設置し，マスタ局等の上位局からのクロックに位相が同期する基準となるクロックを発生して，局内の伝送装置において必要とする各種の周波数のクロックが生成される。網同期を確立することにより，同期多重や，クロスコネクト，時分割交換等の機能が可能となる。そして，網同期品質を高品質化のため網同期装置の内部を二重化していたが信頼性に欠けるためその改善が望まれている。
【０００２】
【従来の技術】
図１０は従来例の説明図であり，Ａ．は網同期装置の構成，Ｂ．はディジタルＰＬＬの構成を示す。
【０００３】
Ａ．に示すように，従来は基準クロックを発生するマスタ局等のネットワークの上位局からクロックが供給されると，現用（Ｎで表示）と予備（Ｅで表示）のディジタル処理型位相同期発振器９０，９１（ＤＰＬＬで表示）に供給される。
【０００４】
このＤＰＬＬ９０，９１の構成を図１０のＢ．に示す。受信されたクロックは，直接または分周器（図示せず）を介して位相比較部９０ａへ供給され，ここで電圧制御発振器９０ｅの出力が分周器９０ｆで分周された出力と位相比較が行われ，位相差を表すアナログ信号は，Ａ／Ｄ変換回路９０ｂでディジタル信号に変換されてディジタル型フィルタを構成する処理回路９０ｃへ入力される。処理回路９０ｃはＣＰＵ（中央処理装置），ＲＡＭ，ＲＯＭで構成され，ここで演算処理（位相差の平均を求める等）が行われて記憶されると共に，位相差に対応するディジタル信号がＤ／Ａ変換回路９０ｄでアナログ信号に変換されて電圧制御発振器９０ｅへ入力され，アナログ信号に対応した周波数のクロック信号を発生，その周波数はフィードバックされて制御が行われる。
【０００５】
Ａ．に示すＤＰＬＬ９０，９１の出力は監視装置９２において監視され，現用（Ｎ）側のＤＰＬＬ９０に障害が発生したことを検出すると，スイッチ９３（ＳＷ１）を切替えて，予備（Ｅ）側のＤＰＬＬ９１の出力を選択して次段の周波数変換部９４，９５へ入力させる。周波数変換部９４，９５では入力するクロック信号の周波数を局の各伝送装置（図示せず）で使用する周波数（１．５Ｍｂｐｓや６４Ｋｂｐｓ）に変換して，スイッチ９７（ＳＷ２）を介して出力され，ディジタル信号の送信，受信または中継を行う同期伝送装置（図示せず）における基準クロックとして使用される。スイッチ９７は各周波数変換部９４，９５の出力を監視する監視装置９６により切替制御される。
【０００６】
【発明が解決しようとする課題】
上記の図１０のＡ．に示す従来の網同期装置の構成では，内部で二重化して高信頼化しているが，網同期装置の主回路（ＤＰＬＬ９０，９１）の故障と監視装置９２の故障，または主回路の故障と制御系（スイッチ９３，９７）の故障が同時に発生する場合には，主回路に異常が発生しても警報を出力しなかったり，切替制御をしないことになり，冗長構成が充分に機能しないという問題があった。
【０００７】
本発明は網同期装置の同期品質の監視を高機能化し，異常な網同期装置をディジタルネットワークから切離し，高品質な網同期クロックを同期伝送装置に供給することができる網同期クロックの切替方式を提供することを目的とする。
【０００８】
【課題を解決するための手段】
図１は本発明の原理構成図である。
図中，１はクロック受信分配装置，２は網同期装置，３は網同期装置の入力信号と出力信号とを入力して信号状態及び周波数等を監視する網同期装置監視装置，４はクロック切替装置である。
【０００９】
本発明は上位局からのクロックを二重化された網同期装置のそれぞれに分配して入力し，網同期装置からの二重化された出力と各入力クロックとを網同期装置監視装置において監視して系統障害を検出すると網同期装置の二重化出力の中から正常なクロック系統を選択するよう切替えるものである。
【００１０】
【作用】
上位局からのクロックはクロック受信分配装置１で受信されると，２つの系（現用を表すＮと，予備を表すＥの２つの系）に分配され，更に分配部１ａ，１ｂにおいて分配され，一方は網同期装置２の現用系２ａと予備系２ｂへ入力され，他方は網同期装置監視装置３へ入力する。網同期装置２の各系２ａ，２ｂは，それぞれ入力されたクロックの位相に同期したクロックを，従来のディジタル処理型位相同期発振器（ＤＰＬＬ）を用いた構成により発生し，各系２ａ，２ｂの網同期装置の出力はクロック切替装置４へ供給されると共に，網同期装置監視装置３へ供給される。網同期装置監視装置３はクロック受信分配装置１の２系統の入力と網同期装置からの２系統の出力を入力として，信号が断となる等の系統障害を検出する。系統障害の発生を検出すると，系統障害信号をクロック切替装置４へ供給し，現用または予備の２つのクロック入力の内，系統障害が発生していない方を選択するよう切替える。クロック切替装置４の出力は局内の各同期伝送装置へ供給される。
【００１１】
【実施例】
図２は実施例１の構成図，図３は実施例１の網同期装置監視装置の構成図，図４は網同期装置監視装置の判定論理の説明図である。
【００１２】
図２において，１〜４は上記図１の同一符号に対応し，１はクロック受信分配装置であり，マスタ局（またはサブマスタ局）からの１．５Ｍ（Ｍｂｐｓの略：メガビット・パー・セコンド）のクロックを受信してＮ（現用）系とＥ（予備）系とに分岐して，各Ｎ系とＥ系の信号は更に分配部１ａ，１ｂで２つに分配され，一方は網同期装置２へ▲１▼，▲２▼で表す１．５Ｍのクロック信号（ライン(LINE)Ｎ，ライン(LINE)Ｅで表示）を入力すると共に，網同期装置監視装置３に対し▲１▼，▲２▼で表す各信号が供給される。
【００１３】
２はディジタル型の網同期装置であり，Ｎ系とＥ系の２重化された装置により構成され，それぞれに入力された▲１▼，▲２▼のＮ系及びＥ系の１．５Ｍのクロックから，これに同期したＮ系の１．５Ｍと６４Ｋ（Ｋｂｐｓ：キロビット・パー・セコンド）の２つのクロック出力（図２の▲３▼と▲５▼で示す）及びＥ系の１．５Ｍと６４Ｋの２つのクロック出力（図２の▲４▼と▲６▼で示す）を発生する。３は上記のクロック受信分配装置１からの上記▲１▼と▲２▼の信号及び網同期装置２から発生する上記▲３▼〜▲６▼の信号を受け取り，後述する図３の構成により系統障害の出力を発生する網同期装置監視装置である。４はクロック切替装置であり，内部の４ａ，４ｂは網同期装置２から出力される１．５Ｍ，６４Ｋの各クロック信号のそれぞれのＮ系（▲３▼，▲５▼）とＥ系（▲４▼と▲６▼）を入力して，その一方を選択して出力するスイッチで，４ｃは網同期装置監視装置３からの系統障害情報を受け取って各スイッチ４ａ，４ｂを切替える制御信号を発生する制御部である。
【００１４】
実施例１の網同期装置監視装置（図２の３）の構成を図３に示す。図３において，４０ａ〜４０ｆはそれぞれ図２の▲１▼〜▲６▼で示す各クロック信号を入力して断を検出する断検出回路，４１ａ〜４１ｃは切替回路，４２ａ〜４２ｃはそれぞれ２組の断検出回路４０ａと４０ｂ，４０ｃと４０ｄ，４０ｅと４０ｆの出力を受け取って，対応する切替回路４１ａ〜４１ｃに対し，Ｎ系とＥ系の入力の中から断が検出されない方を選択する信号を発生する制御部，４３は１．５Ｍのクロックの周波数比較回路，４４は１．５Ｍの周波数のクロックを６４Ｋの周波数へ位相ロックループ回路を用いて変換する周波数変換回路（ＰＬＯで表示），４５は６４Ｋの周波数を比較する周波数比較回路，４６は各断検出回路４０ａ〜４０ｆから発生する検出信号▲１▼’〜▲６▼’及び周波数比較回路４３，４５から発生する比較結果の信号(a) ，(b) を入力して, 状態を検出処理して系統障害を発生する状態処理部である。
【００１５】
図３の断検出回路４０ａ，４０ｂは，クロック受信分配装置１からの▲１▼，▲２▼の各クロック信号（ラインＮ及びラインＥ）を入力して，信号が断であるか否かを表す検出信号▲１▼’及び▲２▼’を発生し，状態処理部４６へ供給すると共に，制御部４２ａへ供給する。制御部４２ａは検出信号▲１▼’が断検出を表示し，検出信号▲２▼’が正常な状態を表示すると，Ｅ系に切替える制御信号を切替回路４１ａに発生する。切替回路４１ａはこれにより入力する▲１▼のＮ系（１．５Ｍ）と▲２▼のＥ系（１．５Ｍ）の中から，Ｅ系を選択するよう切替えられる。この時，切替回路４１ａから出力される２つの１．５Ｍのクロック信号は両方ともＥ系のクロック信号である。切替回路４１ｂ，４１ｃは，網同期装置２から出力される▲３▼，▲４▼の１．５Ｍの２つの信号（Ｎ系とＥ系）及び▲５▼，▲６▼の６４Ｋの２つの信号（Ｎ系とＥ系）について，断検出回路４０ｃ，４０ｄ及び４０ｅ，４０ｆの検出信号▲３▼’，▲４▼’及び▲５▼’，▲６▼’により切替制御される。
【００１６】
周波数比較回路４３，４５は網同期装置２の入力側と出力側のクロック信号の周波数を比較し，周波数比較回路４３は１．５Ｍのクロック信号について一致するか，しないかを表す信号(a) を発生し, 周波数比較回路４５は６４Ｋのクロック信号について一致するか，しないかを表す信号(b) を発生する。▲１▼’〜▲６▼’及び(a),(b) の各信号は判定条件として状態処理部４６へ供給される。
【００１７】
図４は網同期装置監視装置の判定論理を示し，この判定は上記図３の状態処理部４６において実行される。
図４のＡ．はラインＮ，Ｅの断検出信号▲１▼’と▲２▼’についての判定内容であり，この中の１は両系とも正常（○で表示）状態を表し，２，３は一方の系が停止（×で表示）した場合であり，これに対しては網同期装置（図２の２）内で切替えにより対応することができる。しかし，４の場合は，両ラインＮ，Ｅの信号が断となる異常状態であり，この場合の判定結果は系統障害となる。図４のＢ．は▲３▼’と▲４▼’で示す１．５Ｍのクロック信号のＮ系とＥ系の出力信号の断検出信号であり，この場合も，上記Ａ．と同様に１〜３の場合は問題がなく，４のように両系の信号が断である場合に異常として系統障害と判定する。
【００１８】
図４のＣ．の場合は，６４Ｋのクロック信号のＮ系とＥ系の出力信号の断検出信号▲５▼’と▲６▼’の判定であり，上記４の場合と同様に両系の信号が断の場合に系統障害の判定結果を発生する。図４のＤ．の場合は，１．５Ｍ及び６４Ｋの各クロック信号についての周波数比較回路（図３の４３及び４５）による比較結果である(a) と(b) について判別し，１のように両方とも正常（比較一致が得られた時）である場合を除いて，２〜４のように一方の比較結果が異常（比較一致が得られない時）の場合及び両方の比較結果が異常の場合には系統障害の判別結果を発生する。
【００１９】
図４の判定論理により，図３に示す網同期装置監視装置の状態処理部４６から系統障害を表す信号が発生すると，図２のクロック切替装置４は，現在の状態に基づいて，入力される１．５Ｍ及び６４ＫのＮ系及びＥ系の入力信号を切替える。この場合，系統障害情報として，１．５Ｍまたは６４Ｋの何れのクロック信号のどの系統障害か，Ｎ系かＥ系の何れの系統障害であるかの情報が含まれる（図３の状態処理部４６で検出して発生する）。
【００２０】
図５は実施例２の構成図である。
上記図２の実施例１では１つの上位局（マスタ局またはサブマスタ局等）からクロック信号を受信していたが，この実施例２では２つの上位局からの２つのクロック信号を受信し，それぞれのクロック信号に対応する２系統の構成により高い信頼性を実現するものである。
【００２１】
図５において，１Ａは上位局ＡからのＡ系統のクロックを受信するクロック受信分配装置，１Ｂは上位局ＢからのＢ系統のクロックを受信するクロック受信分配装置，２Ａは上記図１，図２の２と同様にＮ系（現用系）とＥ系（予備系）に対応した２系統の装置を備え，入力するＡ系統のＮとＥのクロックに同期したクロックを発生するＡ系統の網同期装置，２Ｂは前記２Ａに対応して設けられ入力するＢ系統のＮとＥのクロックに同期したクロックを発生するＢ系統の網同期装置，３ＡはＡ系統の入力クロックとＡ系網同期装置２Ａから出力されるクロックを入力して監視を行うＡ系網同期装置監視装置，３ＢはＢ系統の入力クロックとＢ系網同期装置２Ｂから出力されるクロックを入力して監視を行うＢ系網同期装置監視装置である。
【００２２】
４０は２つの網同期装置２Ａと２Ｂから発生するそれぞれのＮ系とＥ系のクロックを入力して，Ａ系統とＢ系統の各系の網同期装置監視装置３Ａと３ＢからのＡ系統障害情報及びＢ系統障害情報により正常なＮ系とＥ系のクロックを選択するクロック系切替装置，４１はＮ系スイッチ（ＳＷで表示），４２はＥ系スイッチ（ＳＷ），４３は各網同期装置監視装置３Ａ，３Ｂからの系統障害情報を受け取って各スイッチ４１，４２への切替信号を発生する制御部（ＣＯＮＴで表示），５０はクロック系切替装置４０により正常なＮ系，Ｅ系のクロック信号を受け取り内部で一方を選択して送・受信及び中継の回路で使用する同期伝送装置である。
【００２３】
図５の構成では，２つの上位局からのＡ系統とＢ系統のライン側のクロックを受け取る２つのクロック受信分配装置１Ａと１Ｂにおいて，それぞれＮ系とＥ系のクロック信号を分配する。
【００２４】
Ａ系統に属するＮ系とＥ系のクロック信号はＡ系網同期装置２ＡとＡ系統の網同期装置監視装置３Ａに入力し，網同期装置２Ａから位相同期をとったＡ系統のＮ系とＥ系のクロック信号を発生し，その出力を分配してＮ系の出力の一方をクロック系切替装置４０のＮ系スイッチ４１へ供給し，他方をＡ系網同期装置監視装置３Ａへ供給し，Ｅ系の出力の一方をクロック系切替装置４０のＥ系スイッチ４２へ供給し，他方をＡ系網同期装置監視装置３Ａへ供給する。
【００２５】
Ｂ系統に属するＮ系とＥ系のクロック信号はＢ系網同期装置２ＢとＢ系統の網同期装置監視装置３Ｂに入力し，網同期装置２Ｂから位相同期をとったＢ系統のＮ系とＥ系のクロック信号を発生し，上記のＡ系の場合と同様にその出力を分配してＮ系の出力の一方をクロック系切替装置４０のＮ系スイッチ４１へ供給し，他方をＢ系網同期装置監視装置３Ｂへ供給し，Ｅ系の出力の一方をクロック系切替装置４０のＥ系スイッチ４２へ供給し，他方をＢ系網同期装置監視装置３Ｂへ供給する。
【００２６】
Ａ系網同期装置監視装置３Ａ及びＢ系網同期装置監視装置３Ｂは，網同期装置２Ａ，２Ｂの各入力クロック信号及び出力クロック信号を受け取って，上記図３及び図４と同様の構成及び処理により判別を行い，それぞれＡ系統障害情報とＢ系統障害情報を発生する。クロック系切替装置４０は，Ａ系網同期装置監視装置３ＡからのＡ系統障害情報とＢ系網同期装置監視装置３ＢからのＢ系統障害情報を制御部４３で受け取って，Ｎ系スイッチ４１及びＥ系スイッチ４２に対し制御信号を発生し，Ｎ系スイッチ４１とＥ系スイッチ４２は制御信号により障害が発生していない系統を選択するよう切替えられる。
【００２７】
図６はクロック系切替装置と前後の装置を含む具体的構成例である。
この構成例では，上記図５に示すクロック受信分配装置１Ａ及び１Ｂにおいてそれぞれ１．５Ｍと６４Ｋの２つの周波数のクロック信号を発生し，Ａ系網同期装置２ＡとＢ系網同期装置２Ｂはそれぞれ，１．５Ｍと６４Ｋの２つの周波数のクロック信号についてＮ系とＥ系の２つを出力する。Ｎ系クロック切替装置４１ａとＥ系クロック切替装置４１ｂは両者を合わせて上記図５のクロック系切替装置４０に対応する。Ａ系網同期装置監視装置３Ａ及びＢ系網同期装置監視装置３Ｂは，それぞれ上記図５の３Ａ，３Ｂと同様の原理により網同期装置２Ａ，２Ｂの各入力クロック信号及び出力クロック信号を受け取って，上記図３と同様の構成及び処理により判別を行う。
【００２８】
Ｎ系クロック切替装置４１ａ内のスイッチ４１０，４１１は網同期装置２Ａ，２ＢのそれぞれＮ系の１．５Ｍと６４Ｋのクロック信号を入力して，制御部４１２から発生する制御信号により切替えを行い，それぞれの出力をＮ系の１．５Ｍ及び６４Ｋのクロック信号として同期伝送装置５０へ供給する。なお，４１３はＮ系クロック切替装置４１ａの電源部（ＰＷＲで表す）である。また，Ｅ系クロック切替装置４１ｂでは，スイッチ４１０，４１１において網同期装置２Ａ，２ＢからのそれぞれＥ系の１．５Ｍと６４Ｋのクロック信号を入力して，制御部４１２から発生する制御信号により切替えを行い，それぞれの出力をＥ系の１．５Ｍ及び６４Ｋのクロック信号として同期伝送装置５０へ供給する。
【００２９】
同期伝送装置５０は１．５Ｍと６４ＫのＮ系のクロック信号をＮ系クロック切替装置４１ａから入力し，１．５Ｍと６４ＫのＥ系のクロック信号をＥ系クロック切替装置４１ｂから入力して，内部においても切替が可能な構成となっている。
【００３０】
図７はクロック系切替装置の他の構成例である。
図７のクロック系切替装置は，図６と異なる点は，局内に多数の同期伝送装置（図５の５０）が設けられ，１．５Ｍと６４Ｋの２つのクロック信号を発生するＡ系統とＢ系統の網同期装置（図５の２Ａ及び２Ｂ）がそれぞれ複数（ｎ個）設けられ，それに対応して網同期装置監視装置（図５の３Ａと３Ｂ）も同じ個数（ｎ個）設けられ，対応して系切替スイッチが複数個設けられる点である。
【００３１】
図７において，７０−１はＡ系統の１番目の網同期装置のＮ系の１．５Ｍと，Ｂ系統の１番目の網同期装置のＮ系の１．５Ｍのクロック信号が入力するスイッチ（ＳＷで表示）で，７０〜ｎはＡ系統のｎ番目の網同期装置のＮ系の１．５Ｍと，Ｂ系統のｎ番目の網同期装置のＮ系の１．５Ｍのクロック信号が入力するスイッチ（ＳＷで表示）である。また，７１−１はＡ系統の１番目の網同期装置のＥ系の１．５Ｍと，Ｂ系統の１番目の網同期装置のＥ系の１．５Ｍのクロック信号が入力するスイッチ（ＳＷで表示）で，７１〜ｎはＡ系統のｎ番目の網同期装置のＥ系の１．５Ｍと，Ｂ系統のｎ番目の網同期装置のＥ系の１．５Ｍのクロック信号が入力するスイッチ（ＳＷで表示）である。
【００３２】
７２−１はＡ系統の１番目の網同期装置のＮ系の６４Ｋと，Ｂ系統の１番目の網同期装置のＮ系の６４Ｋのクロック信号が入力するスイッチで，７２−ｎはＡ系統のｎ番目の網同期装置のＮ系の６４Ｋと，Ｂ系統のｎ番目の網同期装置のＮ系の６４Ｋのクロック信号が入力するスイッチである。また，７３−１はＡ系統の１番目の網同期装置のＥ系の１．５Ｍと，Ｂ系統の１番目の網同期装置のＥ系の１．５Ｍのクロック信号が入力するスイッチで，７３−ｎはＡ系統のｎ番目の網同期装置のＥ系の６４Ｋと，Ｂ系統のｎ番目の網同期装置のＥ系の６４Ｋのクロック信号が入力するスイッチである。また，７４はＡ系統及びＢ系統のそれぞれｎ個の網同期装置監視装置からのＡ系統障害情報及びＢ系統障害情報を受け取るて系統障害情報を発生する制御部（図５の４３に対応）である。
【００３３】
制御部７４からの切替の制御信号ｃ１１〜ｃ１ｎ，ｃ２１〜ｃ２ｎ，ｃ３１〜ｃ３ｎ及びｃ４１〜４ｎにより各スイッチ７０−１〜７３−ｎが切替えられ，それぞれ後段に設けられた複数（ｎ個）の同期伝送装置（図５の５０）へ供給される。
【００３４】
次に上記図５に示す網同期装置と網同期装置監視装置の従属先構成の場合の障害の発生における動作を説明する。
ここで，クロックパルス障害及び作業によるクロック停止が発生した場合の，同期伝送装置への影響を次のケース１，ケース２について説明する。
【００３５】
ケース１：クロックパス（クロック受信分配装置１Ａ，Ｂへの入力パス）の障害及び作業による停止の場合。ここで，作業停止は，保守作業としてかなりの頻度が発生するため，回線への影響が少ないことが望まれる。
【００３６】
ケース２：クロックパスの障害及び作業停止中に，クロックパスを受けている網同期装置が故障した場合。
図５のようにクロック受信分配装置１Ａ，１Ｂと網同期装置２Ａ，２Ｂ及び網同期装置監視装置３Ａ，３Ｂの間の信号線を接続した場合，上記ケース１については，仮にＡ系統のクロックパスに障害または作業停止が発生すると，Ａ系統の網同期装置監視装置３ＡがＡ系統障害情報を出力することにより，クロック系切替装置４０は，Ａ系からＢ系に切替を行う。この場合は，Ａ系統とＢ系統間のクロックの切替であるため，位相のずれ等により後段の同期伝送装置において瞬断が起きる可能性があり，作業が多い場合には，作業停止毎に瞬断が発生する可能性があるが，その後は安定したクロック信号を発生することができる。
【００３７】
図８は実施例３の構成図である。この実施例３は上記図５の符号１Ａ，１Ｂ・・・４０，５０で表す各装置により構成されているが，信号の接続関係（従属関係）が相違する。すなわち，Ａ系網同期装置２ＡのＥ系の入力としてＢ系統のクロック受信分配装置１ＢのＥ系のクロック信号が供給され，Ｂ系網同期装置２ＢのＥ系の入力としてＡ系統のクロック受信分配装置１ＡのＥ系のクロック信号が供給される。但し，Ａ系網同期装置監視装置３ＡとＢ系網同期装置監視装置３Ｂには，上記図５の各装置３Ａと３Ｂと同様に対応するクロック受信分配装置１Ａ及び１ＢのそれぞれＮ系とＥ系のクロック信号が供給される。
【００３８】
この実施例３では，網同期装置監視装置３Ａ，３ＢのＮ系とＥ系の両方が断を検出した時，系統障害情報を出力しないように出力条件が設定される。すなわち，この時，系統障害情報を発生してしまうと，上記図５のケース１と同様にクロック系切替装置４０が切替を行って後段の同期伝送装置５０で瞬断が発生するので，これを防止するものである。
【００３９】
ケース１の場合，例えば，図８のＡ系クロックパスの障害または作業停止が発生すると，Ａ系網同期装置２Ａは従属先をＮ系からＥ系に切替える。ＮとＥで周波数同期しているとき，Ａ系網同期装置２ＡでＮ系からＥ系への切替は，網同期装置内のディジタル処理型位相同期発振器（ＤＰＬＬ）の機能により，切替えが行われてもＡ系網同期装置２Ａの出力クロックの位相は変化しないため，同期伝送装置に対する影響はない（瞬断が発生しない）。また，実施例３のケース２の場合，例えば，Ａ系のクロックパスの障害または作業停止中に，Ａ系網同期装置２Ａが故障すると，Ａ系網同期装置監視装置３Ａでは基準となるクロックパスの入力がないため異常が検出できない。この状態に対してこの実施例３では対処することは困難となる。従って，この実施例３は，ケース１に対して実施例２（図５）の場合より優れている点に特徴がある。
【００４０】
次に図９は実施例４の構成図である。この実施例４は上記図５及び図８と同様に各符号１Ａ，１Ｂ・・・４０，５０で表す各装置により構成されているが，信号の接続関係（従属関係）が相違する。すなわち，Ａ系網同期装置２ＡのＥ系の入力とＢ系網同期装置２ＢのＥ系の入力は，上記実施例３（図８）と同様に他系統のクロック受信分配装置のＥ系のクロック信号が交差して供給されているが，Ａ系網同期装置監視装置３ＡとＢ系網同期装置監視装置３Ｂに対しクロック受信分配装置１Ａ，１Ｂから供給されるＥ系のクロック信号は，互いに他系統の網同期装置監視装置へ供給されている点で相違する。
【００４１】
この実施例４の構成では，上記のケース１の場合，例えば，Ａ系クロックパスの障害または作業停止が発生すると，Ａ系網同期装置２Ａは従来先をＮ系からＥ系に切替える。同様にＡ系網同期装置監視装置３Ａも監視用クロックパスをＮ系からＥ系に切替えて，Ｅ側を基に監視を行う。Ｎ系とＥ系とで周波数が同期しているとき，網同期装置のＮからＥへ切替ても，ディジタル処理型位相同期発振器の機能により，網同期装置の出力クロックの位相が変化しないため，同期伝送装置に対する影響はない。
【００４２】
次に，実施例４の構成によるケース２の場合は，この構成では網同期装置の従属先クロックパス構成と，網同期装置監視装置の監視クロックパス構成が同様であることから，Ａ系のクロックパスが障害または作業停止中に，Ａ系網同期装置２Ａが故障すると，Ａ系網同期装置監視装置３Ａが異常を検出し，クロック系切替装置４０においてＢ系網同期装置２Ｂの出力を選択するよう切替えられる。この時，同期伝送装置５０は瞬断したのち，安定した回線品質を維持することができる。
【００４３】
【発明の効果】
本発明によれば位相同期多重を行うディジタルネットワークにおいて，上位局からのクロック信号を受信して網同期のクロック信号を発生する網同期装置の障害を速やかに検出して二重化回路の中の正常な方へ切替えることができ，信頼性を向上することができる。さらに，２つの上位局または２つのクロック基準となるクロック信号に対応した網同期装置の二重化して，対応して網同期装置監視装置により監視と切替えにより，クロック信号の障害と網同期装置の障害という二重障害の発生に対しても同期伝送装置に対して影響を少なくすることが可能となり，ディジタルネットワーク全体の同期品質を向上し，高信頼化を実現することができる。
【図面の簡単な説明】
【図１】本発明の原理構成図である。
【図２】実施例１の構成図である。
【図３】実施例１の網同期装置監視装置の構成図である。
【図４】網同期装置監視装置の判定論理の説明図である。
【図５】実施例２の構成図である。
【図６】クロック系切替装置と前後の装置を含む具体的構成例を示す図である。
【図７】クロック系切替装置の他の構成例を示す図である。
【図８】実施例３の構成図である。
【図９】実施例４の構成図である。
【図１０】従来例の説明図である。
【符号の説明】
１      クロック受信分配装置
２      網同期装置
２ａ    現用系網同期装置
２ｂ    予備系網同期装置
３      網同期装置監視装置
４      クロック切替装置
【図１】
0003688754.tif 000002
【図２】
0003688754.tif 000003
【図３】
0003688754.tif 000004
【図４】
0003688754.tif 000005
【図５】
0003688754.tif 000006
【図６】
0003688754.tif 000007
【図７】
0003688754.tif 000008
【図８】
0003688754.tif 000009
【図９】
0003688754.tif 000010
【図１０】
0003688754.tif 000011